(57)【要約】【課題】確実かつ正確にプラグとレセプタクルとの接続を行い得るコネクタを提供する。【解決手段】コネクタは、プラグ１０と、プラグが挿入される孔２０ｂ，２１ｂを有するレセプタクル２０と、プラグに設けられる突起１１ａと、レセプタクルに設けられプラグが挿入される際に挿入軸周りの突起の回転を所定の幅に規制する受部２２と、レセプタクルに設けられ受部が突起の回転を規制した後にプラグの挿入に連動してプラグをレセプタクルの孔にガイドする形状でかつ突起を挿入可能で受部により規制される所定の幅よりも広い第１の溝を形成するプラグガイド部３１と、プラグガイド部よりも挿入方向側に設けられ突起が挿入可能で突起の挿入方向に窄まった形状の第２の溝を有する突起ガイド部３３と、突起ガイド部よりも挿入方向側に設けられ突起を挿入可能で突起が挿入されることで突起の回転幅を所定の幅よりも狭める第３の溝を有する回転規制部３４とを有する。【選択図】図６
2018205356.tif 000002
【特許請求の範囲】
【請求項１】
プラグと、
前記プラグが挿入される孔を形成するレセプタクルと、
前記プラグと前記レセプタクルのうち一方に設けられる突起と、
前記プラグと前記レセプタクルのうち他方に設けられ、前記レセプタクルへ前記プラグが挿入される際に、挿入方向を軸とする前記突起の回転を所定の幅に規制する受部と
前記プラグ及びレセプタクルのうち他方に設けられ、前記受部により前記突起の回転が規制された後に、前記レセプタクルへの前記プラグの挿入に連動して前記プラグを前記レセプタクルの孔にガイドする形状であって、かつ前記突起を挿入可能であり前記受部により規制される前記所定の幅よりも広い第１の溝を形成するプラグガイド部と、
前記プラグガイド部よりも前記突起の挿入方向側に設けられ、前記突起が挿入可能であり前記突起の挿入方向に窄まった形状である第２の溝を形成する突起ガイド部と、
前記突起ガイド部よりも前記突起の挿入方向側に設けられ、前記突起を挿入可能であり前記突起が挿入されることで前記突起の回転幅を前記所定の幅よりも狭める第３の溝を形成する回転規制部と、
を有することを特徴とするコネクタ。
【請求項２】
前記プラグは、被検体内を撮像して撮像信号を生成する撮像装置に設けられ、前記撮像装置からの前記撮像信号を光信号として伝送するプラグであることを特徴とする請求項１に記載のコネクタ。
【請求項３】
前記プラグは、前記撮像装置から延出する接続ケーブルの終端部に設けられていることを特徴とする請求項２に記載のコネクタ。
【請求項４】
前記レセプタクルは、前記プラグが接続される機器に設けられ、前記プラグが接続されることにより、前記撮像装置からの前記撮像信号を前記機器へと伝送するレセプタクルであることを特徴とする請求項２に記載のコネクタ。
【請求項５】
外周方向に向けて突設した突起を有するプラグが挿入可能であり、前記プラグが挿入される際に、挿入方向を軸とする前記突起の回転を所定の幅に規制する受部と、
前記受部により前記突起の回転が規制された後に、前記プラグの挿入に連動して前記プラグを孔にガイドする形状であって、かつ前記突起を挿入可能であり前記受部により規制される前記所定の幅よりも広い第１の溝を形成するプラグガイド部と、
前記プラグガイド部よりも前記突起の挿入方向側に設けられ、前記突起が挿入可能であり前記突起の挿入方向に窄まった形状である第２の溝を形成する突起ガイド部と、
前記突起ガイド部よりも前記突起の挿入方向側に設けられ、前記突起を挿入可能であり前記突起が挿入されることで前記突起の回転幅を前記所定の幅よりも狭める第３の溝を形成する回転規制部と、
を有することを特徴とするレセプタクル。
【請求項６】
内周方向に向けて突設した突起を有するレセプタクルに挿入可能なプラグであり、
前記レセプタクルが挿入される際に、挿入方向を軸とする前記突起に対する前記プラグの回転を所定の幅に規制する本体部と、
前記本体部により前記プラグの回転が規制された後に、前記レセプタクルへの挿入に連動して前記レセプタクルに設けられた孔にガイドする形状であって、かつ前記突起を挿入可能であり前記本体部により規制される前記所定の幅よりも広い第１の溝を形成するプラグガイド部と、
前記プラグガイド部よりも前記突起の挿入方向側に設けられ、前記突起が挿入可能であり前記突起の挿入方向に窄まった形状である第２の溝を形成する突起ガイド部と、
前記突起ガイド部よりも前記突起の挿入方向側に設けられ、前記突起を挿入可能であり前記突起が挿入されることで前記突起の回転幅を前記所定の幅よりも狭める第３の溝を形成する回転規制部と、
を有することを特徴とするプラグ。
【発明の詳細な説明】
【技術分野】
【０００１】
この発明は、レセプタクルの孔部に対してプラグを挿入して嵌合接続することにより電気信号線や光ファイバーケーブル等を機器に接続するコネクタ及びレセプタクル，プラグに関するものである。
【背景技術】
【０００２】
従来、機器同士の間で電気信号や光信号等を用いて通信を行う際に用いられる電気信号線や光ファイバーケーブル等の配線ケーブルを、機器に対して容易に着脱自在とすることができるようにしたいわゆるコネクタ (connector) は、広く用いられている。
【０００３】
上記従来のコネクタは、例えば電気信号線や光ファイバケーブル等の配線ケーブルの終端部に設けられたプラグを、機器の筐体表面に設置されたレセプタクルに嵌合させることによって、当該配線ケーブルを容易に機器内部の電気回路等に接続し、また容易に取り外すことができるように構成されている。
【０００４】
この種のコネクタにおいて、特に光伝送を行う機器に用いられるコネクタにおいては、プラグとレセプタクルを嵌合接続する場合、より高精度な軸合わせとプラグの回転規制を行う構造が必要になることは周知である。
【０００５】
そこで、従来のコネクタにおいては、プラグをレセプタクルに嵌合接続する際に生じる位置ズレ（誤差）を吸収するための構造として、例えばフローティング構造と呼ばれる構造が採用したものがある。
【０００６】
コネクタにおける上記フローティング構造とは、例えば光ファイバ及び信号線等を接続するのに関与するプラグ若しくはレセプタクルの構成部材の少なくとも一部を、プラグの挿入方向に対して直交する面内で移動し得るように構成したものである。
【０００７】
この場合において、レセプタクルに設けられた孔部に対してプラグが挿入される際に、プラグが挿入される上記孔の開口部分の周囲近傍に、当該プラグの先端部分を上記孔部に向けてガイドするためのガイド部を設けると共に、上記プラグが上記孔部に挿入されたときに、当該プラグの挿入軸周りの回転を規制する回転規制部とを有して構成されているものがある。
【０００８】
例えば、特開２０１６−２０９６４号公報等によって開示されているコネクタは、円柱形状のユニット（プラグ）をホルダ（レセプタクル）の孔部に挿入する際に、ホルダの孔部への挿入をガイドするガイド部と、ホルダが孔部に挿入された際の当該ホルダの挿入軸周りの回転規制を行う溝部とを有して構成されている。
【０００９】
具体的には、例えば、円柱形状ユニットの外周面上には凸部が突設されている一方、ホルダは、挿入口近傍を挿入方向において手前側に向けて広がるように形成した軸合わせ用ガイド部と、当該ホルダの外面の一部を切り欠いた位置決め用溝部とを有している。そして、位置決め用溝部は、上記凸部が挿入されたときに上記ホルダの回転規制を行う回転規制溝と、この回転規制溝に連設され挿入方向において手前側に向けて広がるように形成され上記凸部を上記回転規制溝へとガイドする導入溝とによって形成されている。
【先行技術文献】
【特許文献】
【００１０】
【特許文献１】国際公開番号ＷＯ２００８／０２３７４１号公報
【特許文献２】特開２０１６−２０９６４号公報
【発明の概要】
【発明が解決しようとする課題】
【００１１】
ところが、上記特開２０１６−２０９６４号公報等によって開示されている構成では、ホルダの軸合わせ用ガイド部の一部に位置決め用溝部の導入溝が形成されているので、
ホルダの孔部に向けて上記円柱状ユニットを挿入する際に、挿入開始時の円柱状ユニットが回転方向において大きく位置ズレした場合、凸部が位置決め用溝部の導入溝部へと導入される前に、当該凸部が軸合わせ用ガイド部における内径方向の隙間に嵌まり込んだり、引っ掛かったりする等の可能性がある。よって、当該凸部を導入溝部から回転規制溝部へと確実に導入できなかったり、部品同士を傷付けてしまうといった問題点が生じる可能性がある。
【００１２】
本発明は、上述した点に鑑みてなされたものであって、その目的とするところは、レセプタクルに形成された孔に対してプラグを挿入して嵌合接続する形態のコネクタであって、プラグの挿入軸と孔の中心軸との軸合わせのためのガイド部と、プラグが孔に挿入された際の当該プラグの挿入軸周りの回転を規制するための回転規制部とを備えた形態であって、常に確実かつ正確にプラグとレセプタクルとの嵌合接続を行うことのできる構造を備えたコネクタ及びレセプタクル，プラグを提供することである。
【課題を解決するための手段】
【００１３】
上記目的を達成するために、本発明の一態様のコネクタは、プラグと、前記プラグが挿入される孔を形成するレセプタクルと、前記プラグと前記レセプタクルのうち一方に設けられる突起と、前記プラグと前記レセプタクルのうち他方に設けられ、前記レセプタクルへ前記プラグが挿入される際に、挿入方向を軸とする前記突起の回転を所定の幅に規制する受部と、前記プラグ及びレセプタクルのうち他方に設けられ、前記受部により前記突起の回転が規制された後に、前記レセプタクルへの前記プラグの挿入に連動して前記プラグを前記レセプタクルの孔にガイドする形状であって、かつ前記突起を挿入可能であり前記受部により規制される前記所定の幅よりも広い第１の溝を形成するプラグガイド部と、前記プラグガイド部よりも前記突起の挿入方向側に設けられ、前記突起が挿入可能であり前記突起の挿入方向に窄まった形状である第２の溝を形成する突起ガイド部と、前記突起ガイド部よりも前記突起の挿入方向側に設けられ、前記突起を挿入可能であり前記突起が挿入されることで前記突起の回転幅を前記所定の幅よりも狭める第３の溝を形成する回転規制部と、を有する。
【００１４】
本発明の一態様のレセプタクルは、外周方向に向けて突設した突起を有するプラグが挿入される孔と、前記プラグが前記孔に挿入される際に前記プラグを前記孔に向けてガイドするために、前記突起が挿入可能で、前記突起の挿入方向に対して略平行または前記挿入方向に向かって広がる第１の溝を有するプラグガイド部と、前記プラグガイド部よりも前記突起の挿入方向側に設けられ、前記突起が挿入可能で、前記突起の挿入方向に窄まった第２の溝を有する突起ガイド部と、前記突起ガイド部よりも前記突起の挿入方向側に設けられ、前記突起が挿入可能で、前記突起が挿入されることで前記プラグの挿入軸周りの回転を規制する第３の溝を有する回転規制部と、を有する。
【００１５】
本発明の一態様のプラグは、内周方向に向けて突設した突起を有するレセプタクルに挿入可能なプラグであり、前記プラグは、前記レセプタクルが挿入される際に、挿入方向を軸とする前記突起に対する前記プラグの回転を所定の幅に規制する本体部と、前記本体部により前記プラグの回転が規制された後に、前記レセプタクルへの挿入に連動して前記レセプタクルに設けられた孔にガイドする形状であって、かつ前記突起を挿入可能であり前記本体部により規制される前記所定の幅よりも広い第１の溝を形成するプラグガイド部と、前記プラグガイド部よりも前記突起の挿入方向側に設けられ、前記突起が挿入可能であり前記突起の挿入方向に窄まった形状である第２の溝を形成する突起ガイド部と、前記突起ガイド部よりも前記突起の挿入方向側に設けられ、前記突起を挿入可能であり前記突起が挿入されることで前記突起の回転幅を前記所定の幅よりも狭める第３の溝を形成する回転規制部と、を有する。
【発明の効果】
【００１６】
本発明によれば、レセプタクルに形成された孔に対してプラグを挿入して嵌合接続する形態のコネクタであって、プラグの挿入軸と孔の中心軸との軸合わせのためのガイド部と、プラグが孔に挿入された際の当該プラグの挿入軸周りの回転を規制するための回転規制部とを備えた形態であって、常に確実かつ正確にプラグとレセプタクルとの嵌合接続を行うことのできる構造を備えたコネクタ及びレセプタクル，プラグを提供することができる。
【図面の簡単な説明】
【００１７】
【図１】本発明の一実施形態のコネクタを備えた内視鏡システムの概略を示す全体構成図
【図２】本発明の一実施形態のコネクタの一部を構成するプラグを示す外観斜視図
【図３】本発明の一実施形態のコネクタの他の一部を構成するレセプタクルを示す外観斜視図
【図４】図２のプラグを図３のレセプタクルに対して嵌合接続する際の挿入し始めの初期段階の状態を示す断面図
【図５】図４の状態からさらにプラグをレセプタクルに挿入された状態であって、プラグ軸が孔部に挿入される以前の状態を示す断面図
【図６】図２のプラグを図３のレセプタクルに対して嵌合接続する際に、図５の状態からさらにプラグをレセプタクルに挿入した状態であって、プラグ軸が孔部からプラグ軸挿入受部の挿通孔に挿入されている途中の状態であり、突起部が位置決め用溝部に嵌入する以前の状態を示す平面図
【図７】図３のレセプタクルの構成部品のうち、プラグ軸挿入受部の要部（特に位置決め用溝部）を拡大して示す要部拡大斜視図
【図８】本発明の一実施形態のコネクタにおけるプラグ側の突起部とレセプタクル側の位置決め用溝部との係合関係と作用を簡略に概念化して示す概念図
【図９】本発明の一実施形態のコネクタにおけるプラグ側の突起部とレセプタクル側の位置決め用溝部とが係合する際の一状態を拡大して示す要部拡大斜視図
【図１０】本発明の一実施形態の変形例のレセプタクル及びプラグを示す図
【図１１】本発明の一実施形態の別の変形例において、プラグ軸がプラグ軸挿入受部に対して挿入される初期段階の様子を示す要部拡大平面図
【図１２】図１１の状態から、プラグ軸がプラグ軸挿入受部に対して挿入されて、プラグの回転規制がなされている状態を示す要部拡大平面図
【発明を実施するための形態】
【００１８】
以下、図示の実施の形態によって本発明を説明する。以下の説明に用いる各図面は模式的に示すものであり、各構成要素を図面上で認識できる程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００１９】
［一実施形態］
本実施形態は、例えば内視鏡システム１００において、内視鏡１０１から延出される配線ケーブル（ユニバーサルコード１０４）の終端部に設けられたプラグ１０を、機器（内視鏡プロセッサ１１０）の筐体表面に設置されたレセプタクル２０に接続するためのコネクタ１を例に挙げて説明する。
【００２０】
まず、本実施形態のコネクタ１の詳細な構成を説明する前に、このコネクタ１を備えた内視鏡システム１００の全体的な構成の概略を、主に図１を用いて以下に説明する。図１は、本実施形態のコネクタを備えた内視鏡システムの概略を示す全体構成図である。
【００２１】
内視鏡システム１００は、内視鏡１０１と、内視鏡プロセッサ１１０と、表示装置１２０等によって主に構成されている。
【００２２】
内視鏡１０１は、生体や構造物等の被検体の内部の所望の観察部位を撮像する撮像装置である。この内視鏡１０１は、挿入部１０２と、操作部１０３と、ユニバーサルコード１０４と、プラグ１０とを有して主に構成されている。
【００２３】
このうち、プラグ１０は、本実施形態のコネクタ１の一部を構成する構成ユニットである。このプラグ１０は、内視鏡１０１から延出される配線ケーブルであるユニバーサルコード１０４の終端部に設けられている。当該プラグ１０は、プラグ軸１１と、本体部１２等を有して構成される（詳細構成は後述）。そして、当該プラグ１０は、外部機器としての内視鏡プロセッサ１１０の筐体表面に設置されたレセプタクル２０に接続されるように構成されている。
【００２４】
ユニバーサルコード１０４は、操作部１０３と内視鏡プロセッサ１１０との間を接続するための配線ケーブルである。このユニバーサルコード１０４には、電気信号線や光ファイバーケーブル１０５等の信号線等が挿通されている。これらの電気信号線や光ファイバーケーブル１０５等の信号線等は、操作部１０３を介して挿入部１０２内へと挿通している。この場合において、例えば光ファイバーケーブル１０５は、一端１０５ａがプラグ１０に配設され、他端１０５ｂが内視鏡１０１の挿入部１０２の先端部に配設されている。  このような構成により、内視鏡１０１は、挿入部１０２から操作部１０３を介してユニバーサルコード１０４を挿通する電気信号線や光ファイバーケーブル１０５等の信号線等がコネクタ１を介して内視鏡プロセッサ１１０と電気的に接続される。そして、これにより、内視鏡１０１によって取得された撮像データの内視鏡プロセッサ１１０への伝送や、当該内視鏡プロセッサ１１０から内視鏡１０１の各種の制御信号等の伝送を行うことができるように構成されている。
【００２５】
内視鏡プロセッサ１１０は、内視鏡１０１によって取得された撮像データの各種の信号処理を行ったり、内視鏡１０１の制御処理を行うための制御ユニットである。この内視鏡プロセッサ１１０の筐体前面には、上記プラグ１０が嵌合する開口部１１０ａに連設してレセプタクル２０が配設されている。このレセプタクル２０は、本実施形態のコネクタ１の他の一部を構成する構成ユニットである。当該レセプタクル２０は、プラグ軸挿入受部２１と、プラグ本体受部２２等を有して構成される（詳細構成は後述）。そして、当該レセプタクル２０は、撮像装置としての内視鏡１０１のユニバーサルコード１０４の終端部に設けられた上記プラグ１０が接続されるように構成されている。
【００２６】
即ち、本実施形態の上記コネクタ１は、上記プラグ１０と上記レセプタクル２０とによって構成される構成ユニットである。このコネクタ１は、上記プラグ１０が上記レセプタクル２０に嵌合接続されることにより、内視鏡１０１と内視鏡プロセッサ１１０とを接続する。
【００２７】
なお、内視鏡システム１００のその他の構成については、従来一般に普及している形態の内視鏡システムと同様であるとして詳細な説明は省略する。
【００２８】
次に、本発明の一実施形態のコネクタ１の詳細構成について、以下に説明する。
【００２９】
図２は、本実施形態のコネクタの一部を構成するプラグを示す外観斜視図である。図３は、本実施形態のコネクタの他の一部を構成するレセプタクルを示す外観斜視図である。
【００３０】
図４，図５は、本実施形態のコネクタにおいて、プラグをレセプタクルに対して嵌合接続する際の様子を断面で示す図である。
【００３１】
このうち図４はプラグをレセプタクルに嵌合接続する場合において、プラグのレセプタクルの開口への挿入し始めの初期段階の状態を示している。
【００３２】
また、図５は図４の状態からさらにプラグをレセプタクルに挿入した状態であって、プラグの本体部がレセプタクルのプラグ本体受部２２よって回転規制されている状態で、かつプラグのプラグ軸がレセプタクルの孔部に挿入される以前の状態を示している。
【００３３】
図６は、本実施形態のコネクタにおいて、プラグをレセプタクルに対して嵌合接続する際の様子を示す平面図である。この図６は、図５の状態からさらにプラグをレセプタクルに挿入した状態であって、プラグのプラグ軸がレセプタクルの孔部からプラグ軸挿入受部の挿通孔に挿入されている途中の状態であって、プラグの突起部がレセプタクルのプラグ軸挿入受部の位置決め用溝部に嵌入する以前の状態を示している。なお、図６においては、図面の煩雑化を避けるために、レセプタクルの構成部材のうちプラグ軸挿入受部のみを図示している。
【００３４】
図７は、本実施形態のコネクタにおけるレセプタクルの構成部品のうち、プラグ軸挿入受部の要部（特に位置決め用溝部）を拡大して示す要部拡大斜視図である。
【００３５】
図８は、本実施形態のコネクタにおけるプラグ側の突起部とレセプタクル側の位置決め用溝部との係合関係と作用を簡略に概念化して示す概念図である。
【００３６】
図９は、本実施形態のコネクタにおけるプラグ側の突起部とレセプタクル側の位置決め用溝部とが係合する際の一状態を拡大して示す要部拡大斜視図である。
【００３７】
本実施形態のコネクタ１の一部を構成するプラグ１０は、上述したように、内視鏡１０１のユニバーサルコード１０４の終端部に設けられている。このプラグ１０は、図２に示すように、プラグ軸１１と、本体部１２とによって主に構成されている。
【００３８】
本体部１２は、ユニバーサルコード１０４の終端部分に連設され、内部に所定の容積を有する内部空間１２ａ（図２には不図示；図４，図５参照）を備えた筐体である。この本体部１２の内部空間１２ａには、ユニバーサルコード１０４を挿通してくる各種の信号線（電気信号線，光ファイバーケーブル等；不図示）や、これらの信号線のうちの電気信号線が接続される電気基板等（不図示）が設けられている。なお、内部空間１２ａ内に設けられる構成部材については、図面の煩雑化を避けるために図示を省略している（図４，図５等）。
【００３９】
また、本体部１２の一端部には、例えば複数の端子部１３が配設されている。これら複数の端子部１３は、上記内部空間１２ａ内の上記電気基板（不図示）を介して上記電気信号線（不図示）と電気的に接続されている。
【００４０】
そして、これら複数の端子部１３は、当該プラグ１０がレセプタクル２０に嵌合接続状態となったときに、レセプタクル２０側に対応させて設けられている複数の端子部（不図示）に接触する。
【００４１】
これにより、当該コネクタ１は、内視鏡１０１側の電気信号線（プラグ１０側の複数の端子部１３）を、内視鏡プロセッサ１１０側の電気信号線（レセプタクル２０側の複数の端子部）に接続し、内視鏡１０１と内視鏡プロセッサ１１０との間の電気的な接続を確立する機能を実現している。
【００４２】
プラグ軸１１は、本体部１２の先端側の一端面から外方（前方）に向けて突出するように設けられ、円筒形状に形成された軸部材である。このプラグ軸１１の内部には、ユニバーサルコード１０４を挿通してくる各種の信号線のうちの光ファイバーケーブル等（不図示）が設けられている。
【００４３】
そして、このプラグ軸１１は、当該プラグ１０がレセプタクル２０に嵌合接続状態となったときに、後述するレセプタクル２０側の孔部２０ｂ（図４，図５参照）からプラグ軸挿入受部２１に嵌入する。
【００４４】
これにより、当該コネクタ１は、内視鏡１０１側の光通信線（プラグ軸１１）を、内視鏡プロセッサ１１０側の光通信線（レセプタクル２０側の光通信線；詳細後述；不図示）に接続し、内視鏡１０１と内視鏡プロセッサ１１０との間の光通信接続の機能を実現している。
【００４５】
さらに、プラグ軸１１は、外周面上から径方向に向けて突出するように設けられる突起であり、例えば軸状部材からなる突起部１１ａを有している。この突起部１１ａは、レセプタクル２０側の位置決め用溝部（詳細後述；２１ａ）に対して係合することで、当該プラグ１０をレセプタクル２０に嵌合接続する際のプラグ軸１１を案内して挿入を補助すると共に、当該プラグ１０がレセプタクル２０に嵌合接続状態となったときに上記プラグ１０のプラグ軸１１周りの回転を規制するために設けられている。
【００４６】
一方、本実施形態のコネクタ１の他の一部を構成するレセプタクル２０は、上述したように、内視鏡プロセッサ１１０の筐体前面の開口部１１０ａに連設され、上記プラグ１０を嵌合接続する構成ユニットである。このレセプタクル２０は、図３に示すように、プラグ軸挿入受部２１と、プラグ本体受部２２とによって主に構成されている。
【００４７】
プラグ本体受部２２は、全体として箱型形状に形成され、上記プラグ１０が当該レセプタクル２０に嵌合接続状態とされたとき、上記プラグ１０の本体部１２が当該本体部１２を内部にほぼ収納し得る内部空間２２ａを有して形成される構成部品である。
【００４８】
そのために、プラグ本体受部２２の前面側、即ち内視鏡プロセッサ１１０の筐体前面の開口部１１０ａに連設される側には、当該開口部１１０ａを介して挿入される上記プラグ１０の挿入を許容する開口２０ａが形成されている。
【００４９】
ここで、本実施形態のコネクタ１においては、レセプタクル２０の開口２０ａの形状は略矩形状に形成されている。これに合わせて、当該レセプタクル２０のプラグ本体受部２２の内部空間２２ａは、上記開口２０ａの形状と略同形状で略同サイズの矩形面を一面に有する箱型形状に形成されている。この場合の内部空間２２ａにおける上記一面とは、上記開口２０ａに対向する面である。なお、当該一面は、プラグ１０の挿入方向に対して直交する面でもある。
【００５０】
さらに、当該レセプタクル２０に嵌合接続されるプラグ１０の本体部１２の外面のうち、当該プラグ１０が上記開口２０ａに挿入されるときに当該開口２０ａに対向する面の形状は、上記開口２０ａの形状（略矩形状）と略同形状で略同サイズの矩形状に形成されている。
【００５１】
なお、この場合において、プラグ１０の本体部１２がレセプタクル２０の開口２０ａから挿入することができるようにするために、プラグ１０の本体部１２の外形サイズを、レセプタクル２０の開口２０ａのサイズよりも若干小となるように形成されている。さらに、プラグ本体受部２２の内部空間２２ａは、上記プラグ１０の本体部１２の外形サイズより若干大となるように形成されている。
【００５２】
したがって、このような構成により、プラグ１０をレセプタクル２０に嵌合接続する際には、プラグ１０の本体部１２がレセプタクル２０の開口２０ａに挿入された後、当該本体部１２がレセプタクル２０のプラグ本体受部２２の内部空間２２ａ内に収納された形態となる。
【００５３】
このとき、プラグ１０の本体部１２と、レセプタクル２０の開口２０ａと、プラグ本体受部２２の内部空間２２ａとが、いずれも略同形状で略同サイズに形成されているので、本体部１２が内部空間２２ａの内部に収納された状態となった時、プラグ軸１１がプラグ軸挿入受部２１に挿入される前の時点で、当該本体部１２は、内部空間２２ａの内部における配置がほぼ規定されることになり、レセプタクル２０に対するプラグ１０の本体部１２が回転規制されている状態となる（図５参照）。
【００５４】
この場合において、特に、プラグ１０の本体部１２は、プラグ軸１１周りへの回転が所定の範囲内（所定の幅）に規制された状態になる。つまり、プラグ１０がレセプタクル２０に嵌合接続される際において、本体部１２がプラグ本体受部２２の内部空間２２ａに収納され、かつプラグ軸１１がプラグ軸挿入受部２１に挿入される前の時点において、当該プラグ１０はプラグ軸１１周りの回転がある程度の所定の範囲内（所定の幅）で規制されている（図５参照）。
【００５５】
また、プラグ本体受部２２の背面側、即ち開口２０ａに対向する面には、上記プラグ１０の上記プラグ軸１１が挿入される孔部２０ｂが形成されている。この孔部２０ｂに対向する部位には、上記プラグ１０のプラグ軸１１が挿入されるプラグ軸挿入受部２１が配設されている。このプラグ軸挿入受部２１は、プラグ本体受部２２の背面から後方に向けて突出するように設けられる中空構造の円柱状部材である。そのために、当該プラグ軸挿入受部２１は挿通孔２１ｂを有して形成されている。
【００５６】
上記プラグ１０が上記レセプタクル２０に嵌合接続されたときには、上記プラグ本体受部２２に上記プラグ軸１１が挿入される状態になる。したがって、上記プラグ１０と上記レセプタクル２０との嵌合接続状態時には、上記プラグ本体受部２２の中心軸Ａｘと、上記プラグ軸１１の挿入軸である中心軸Ａｘとが略一致するように配設される。
【００５７】
なお、図２〜図８において示す矢印符号Ａは、上記プラグ１０を上記レセプタクル２０に嵌合接続する際のプラグ１０の挿入方向を示している。この挿入方向Ａは、上記プラグ１０のプラグ軸１１の中心軸Ａｘ（挿入軸）及び上記プラグ軸挿入受部２１の中心軸Ａｘに平行な方向となる。
【００５８】
また、上記プラグ軸挿入受部２１には、上記プラグ本体受部２２の孔部２０ｂに対向する側の端部において、周方向における所定の一部位に位置決め用溝部２１ａが形成されている。この位置決め用溝部２１ａは、図６，図７に示すように、プラグガイド部３１と、ガイド移行部３２と、突起ガイド部３３と、回転規制部３４とを有して形成されている。
【００５９】
プラグガイド部３１は、プラグ１０をレセプタクル２０に嵌合接続するのに際して、プラグ軸１１がレセプタクル２０の開口２０ａを介してプラグ軸挿入受部２１の挿通孔２１ｂへと挿入される際に、プラグ１０（のプラグ軸１１の先端）をレセプタクル２０の開口２０ａ（を介してプラグ軸挿入受部２１の挿通孔２１ｂ）へとガイドする形状からなる。
【００６０】
具体的には、プラグガイド部３１は、プラグ軸１１の突起部１１ａを挿入可能な形状に形成されている。また、プラグガイド部３１は、突起部１１ａの挿入方向Ａに対して、当該挿入方向Ａにおいて手前側（開口２０ａ側）に向かって広がる第１の溝を形成している。なお、プラグガイド部３１は、突起部１１ａの挿入方向Ａに対して略平行となるように形成してもよい。また、第１の溝は、プラグ本体受部２２によってプラグ１０の本体部１２が回転規制されている状態において、プラグ１０のプラグ軸１１の突起部１１ａが回転により移動する幅よりも広い幅を有する。
【００６１】
これにより、プラグガイド部３１は、プラグ軸１１の先端が挿通孔２１ｂに挿入されるようにガイドして、かつプラグ１０のプラグ軸１１の突起部１１ａが第１の溝に挿入されることでプラグ１０のプラグ軸１１の挿入軸である中心軸Ａｘと、プラグ軸挿入受部２１の挿通孔２１ｂの中心軸Ａｘとの軸合わせを行う役目をしている（図８の符号１１ａ［１］参照）。
【００６２】
突起ガイド部３３は、上記プラグガイド部３１よりも突起部１１ａの挿入方向Ａにおいて背面寄り（奥側）に設けられる部位である。この突起ガイド部３３は、突起部１１ａが挿入可能な形状に形成されている。また、当該突起ガイド部３３は、突起部１１ａの挿入方向Ａにおいて背面寄り（奥側）に向けて窄まった第２の溝を形成している。ここで、第２の溝の先には回転規制部３４が連設されている。つまり、第２の溝の窄まった先に回転規制部３４の入口開口部分が設けられている。
【００６３】
したがって、このような構成により、プラグ軸１１が挿入方向Ａにおいて背面寄りに向けて挿入する際には、突起ガイド部３３は、第２の溝に沿って移動することによって回転規制部３４へと導入される（図８の符号１１ａ［２］参照）。
【００６４】
回転規制部３４は、突起ガイド部３３よりも突起部１１ａの挿入方向Ａにおいて、さらに背面寄り（奥側）に設けられる部位である。この回転規制部３４は、突起部１１ａを挿入可能な形状に形成されている。また、当該回転規制部３４は、突起部１１ａが挿入されることで、レセプタクル２０とプラグ１０との間の相対的な回転を規制する第３の溝を形成している。この第３の溝は、上述したように、その入口開口部分と、上記突起ガイド部３３の第２の溝の先端部分とが連設されている。そして、当該第３の溝は、挿入方向Ａに略平行な溝である。
【００６５】
また、当該第３の溝は、その溝幅が、突起部１１ａの幅寸法（径寸法）と略同寸法であって、当該突起部１１ａより若干幅広となるように形成されている。これにより、回転規制部３４に突起部１１ａは挿入可能であり、かつ当該回転規制部３４に挿入された突起部１１ａは、プラグ１０が挿抜されるのに連動して挿入方向Ａに沿う方向には移動可能である一方、プラグ軸１１周りの回転方向への回転は常に規制されることになる（図８の符号１１ａ［３］参照）。このように第３の溝によって、レセプタクル２０のプラグ本体受部２２によって規制される突起部１１ａの回転幅よりも、回転幅を短く規制することが可能である。
【００６６】
ガイド移行部３２は、プラグガイド部３１と突起ガイド部３３との間に形成されている。このガイド移行部３２は、プラグ軸１１が上記プラグガイド部３１によって挿入ガイドされて、プラグ軸挿入受部２１の挿通孔２１ｂに挿入される過程において、突起部１１ａが他の部材に引っ掛かったり乗り上げたりしないようにするために設けられる部位である。このガイド移行部３２を設けることにより、突起部１１ａは、プラグガイド部３１から突起ガイド部３３へとスムースに移動する。
【００６７】
この場合において、プラグ軸１１の突起部１１ａの径方向の位置規制は、上述したように、プラグ軸１１が開口２０ａ（プラグ軸挿入受部２１の挿通孔２１ｂ）へと挿入される前の時点で、プラグ１０の本体部１２と、レセプタクル２０の開口２０ａと、プラグ本体受部２２の内部空間２２ａとの形状によって、ある程度の所定の範囲内での回転規制がなされている（図５参照）。
【００６８】
したがって、突起部１１ａは、ガイド移行部３２及び突起ガイド部３３に略対向する位置にあって、プラグ軸１１周りの回転方向において大きく外れた位置に配置されることはない。したがって、突起部１１ａは、常にスムースにガイド移行部３２を経て突起ガイド部３３を介して回転規制部３４へと導入されることになる。
【００６９】
以上説明したように上記一実施形態によれば、レセプタクル２０に形成された孔２０ｂに対してプラグ１０を挿入して嵌合接続する形態のコネクタ１であって、プラグ１０のプラグ軸１１（挿入軸）と、このプラグ軸１１が挿入される孔（開口２０ａ及びプラグ軸挿入受部２１の挿通孔２１ｂ）の中心軸Ａｘとの軸合わせを正確に行うことができると共に、プラグ１０のプラグ軸１１が孔（開口２０ａ及びプラグ軸挿入受部２１の挿通孔２１ｂ）に挿入された際の当該プラグ１０のプラグ軸１１（挿入軸）周りの回転規制を確実に行うことができる。そして、プラグ１０のレセプタクル２０への嵌合接続を、常にスムースに行うことができる。
【００７０】
また、プラグ１０をレセプタクル２０へと嵌合接続させる際に、突起部１１ａが位置決め用溝部２１ａの各部位に対して引っ掛かったり乗り上げたりすることを抑止することができるので、常に円滑な挿抜を行うことができる。
【００７１】
したがって、プラグ１０のレセプタクル２０に対する挿抜を繰り返すことによって、突起部１１ａや位置決め用溝部２１ａの各部位が損傷するようなこともないので、プラグ１０をレセプタクル２０に嵌合接続したときの位置ズレが生じることがなく、よってレセプタクル２０の所定の位置に対してプラグ１０を常に確実かつ正確に位置決め配置することができる。
【００７２】
なお、上述の一実施形態においては、突起部１１ａをプラグ１０側に設ける一方、位置決め用溝部２１ａ（プラグガイド部３１とガイド移行部３２と突起ガイド部３３と回転規制部３４）をレセプタクル２０側に設けた構成を例示しているが、本発明は、この例に示す形態に限られることはない。
【００７３】
例えば、図１０の変形例に示すように、コネクタ１Ａにおいて、突起部２１ｘをレセプタクル２０Ａのプラグ軸挿入受部２１Ａ側に設ける一方、位置決め用溝部１１ｘ（プラグガイド部３１とガイド移行部３２と突起ガイド部３３と回転規制部３４）をプラグ１０Ａのプラグ軸１１Ａ側に設けた構成とすることもできる。この場合の各々の構成は、上述の実施形態と同様である。ここで、プラグガイド部は、プラグ軸１１Ａの先端のテーパ形状によりプラグ１０のプラグ軸１１の先端をレセプタクル２０の開口２０ａを介してプラグ軸挿入受部２１の挿通孔２１ｂへとガイド可能である。また、この場合、プラグ１０の本体部１２によって突起部２１ｘに対するプラグ１０の回転が規制される。そのような構成を採った場合にも、上述の一実施形態と全く同様の作用及び効果を得ることができる。
【００７４】
［別の変形例］
ところで、レセプタクルに形成された孔に対してプラグを挿入して嵌合接続する形態のコネクタであって、プラグの挿入軸と孔の中心軸との軸合わせを行うと共に、プラグの挿入軸が孔に挿入された際に、プラグの挿入軸周りの回転規制を行うコネクタにおいては、プラグをレセプタクルへと嵌合接続させる際に、突起部が位置決め用溝部の各部位に対して引っ掛かったり乗り上げたりすることに起因して、突起部や位置決め用溝部の各部位が損傷する可能性がある。この場合、プラグを繰り返し挿抜することによって損傷が大きくなると、突起部と回転規制部の溝部との間のクリアランスが大きくなる可能性がある。すると、プラグとレセプタクルとの間に回転方向の相対的な位置ズレが生じてしまうことになる。したがって、このようになると、プラグのレセプタクルに対する正確な位置決めを行うことができなくなってしまうことになる。
【００７５】
特に、光伝送を行うコネクタの場合においては、プラグの挿入軸とレセプタクルの孔の中心軸とに位置ズレ（回転ズレ）が生じると、光信号の軸がズレてしまい、必要な光量を伝達することができず、よって正確な光伝送を行うことができないことになってしまう。
【００７６】
そこで、例えば、次に示すような構成を採ることによって、プラグとレセプタクルの位置ズレ（回転ズレ）が生じる問題を回避することができる。図１１，図１２は、上記一実施形態の別の変形例を示す図であって、プラグの一部とレセプタクルのプラグ軸挿入受部のみを取り出して示す要部拡大平面図である。このうち、図１１は、プラグのプラグ軸がレセプタクルのプラグ軸挿入受部に対して挿入される初期段階の様子を示している。また、図１２は、プラグのプラグ軸がレセプタクルのプラグ軸挿入受部に対して挿入して、プラグの回転規制がなされている状態を示している。
【００７７】
本変形例の基本的な構成は、上述の一実施形態と略同様である。即ち、本変形例においては、プラグ軸に設けられる突起部を複数設け、これら複数の突起部は、当該プラグ軸の挿入方向において所定の間隔を置いて並べて配置した点が異なるのみである。したがって、以下の説明においては、上述の一実施形態と同じ構成部材については同じ符号を付して、その詳細説明を省略する。
【００７８】
上述したように、また、図１１，図１２に示すように、本変形例のコネクタ１Ｂにおいては、プラグ１０Ｂのプラグ軸１１Ｂは、外表面に複数の突起部１１Ｂａ，１１Ｂｂを有して形成されている。これら複数の突起部１１Ｂａ，１１Ｂｂは、いずれも当該プラグ軸１１Ｂの外周方向に向けて突設される軸状部である。そして、これら複数の突起部１１Ｂａ，１１Ｂｂは、プラグ軸１１Ｂの挿入方向において所定の間隔を置いて挿入方向Ａに沿う方向の直線上に並べて配置されている。
【００７９】
この場合において、上記複数の突起部１１Ｂａ，１１Ｂｂの配置間隔は、次のように設定されている。
【００８０】
即ち、上記複数の突起部１１Ｂａ，１１Ｂｂのうちプラグ軸１１Ｂの先端寄りの一方の突起部１１Ｂａは、プラグ軸１１Ｂがプラグ軸挿入受部２１の挿通孔２１ｂに挿入されて、プラグ軸１１Ｂの軸周りの回転規制が行われる状態（図１２に示す状態）となった時、位置決め用溝部２１ａの回転規制部３４の先端部近傍に配置される。
【００８１】
これにより、上記一方の突起部１１Ｂａは、プラグ軸１１Ｂを位置決め用溝部２１ａの回転規制部３４へと導くためのガイドを行うと共に、回転規制を行う役目をする。したがって、当該一方の突起部１１Ｂａは、回転規制部３４へのガイドを行う際には他の部材等からの負荷を受けて損傷する可能性がある。しかしながら、ガイドとしての役目をしつつ、位置ズレが生じるほどの損傷を受けるまでの間は正確な回転規制に寄与することができる。たとえ、損傷を受けてしまったとしても、ガイドとして機能し続けることができる。
【００８２】
また、上記複数の突起部１１Ｂａ，１１Ｂｂのうちプラグ軸１１Ｂの後端寄りの他方の突起部１１Ｂｂは、同状態（図１２に示す状態）となった時、位置決め用溝部２１ａの回転規制部３４の入口開口部分の近傍に配置される。これにより、上記他方の突起部１１Ｂｂは、常に回転規制を行う役目をする。
【００８３】
上記他方の突起部１１Ｂｂは、このような位置に配置されることにより、他の部材等からの負荷を受けることがなく、よって損傷するようなこともない。したがって、上記一方の突起部１１Ｂａがたとえ損傷を受けてしまったとしても、プラグ軸１１Ｂがプラグ軸挿入受部２１の挿通孔２１ｂに挿入された状態（図１２の状態）において、プラグ軸１１Ｂに位置ズレを生じさせることなく、常に正確な回転規制を行うことができる。
【００８４】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【００８５】
本発明は、医療分野や工業分野において用いられる内視鏡システム等のほか、各種の形態の機器同士の通信接続に用いるコネクタに広く適用することができる。
【符号の説明】
【００８６】
１，１Ａ，１Ｂ……コネクタ
１０，１０Ａ，１０Ｂ……プラグ
１１，１１Ａ，１１Ｂ……プラグ軸
１１ａ，１１Ｂａ，１１Ｂｂ……突起部
１１ｘ……位置決め用溝部
１２……本体部
１２ａ……内部空間１２ａ
１３……端子部
２０，２０Ａ……レセプタクル
２０ａ……開口２０ａ
２０ｂ……孔部
２１，２１Ａ……プラグ軸挿入受部
２１ａ……位置決め用溝部
２１ｂ……挿通孔
２１ｘ……突起部
２２……プラグ本体受部
２２ａ……内部空間
３１……プラグガイド部
３２……ガイド移行部
３３……突起ガイド部
３４……回転規制部
１００……内視鏡システム
１０１……内視鏡
１０２……挿入部
１０３……操作部
１０４……ユニバーサルコード
１０５……光ファイバーケーブル
１０５ａ……一端
１０５ｂ……他端
１１０……内視鏡プロセッサ
１１０ａ……開口部
１２０……表示装置
【図１】
2018205356.tif 000003
【図２】
2018205356.tif 000004
【図３】
2018205356.tif 000005
【図４】
2018205356.tif 000006
【図５】
2018205356.tif 000007
【図６】
2018205356.tif 000008
【図７】
2018205356.tif 000009
【図８】
2018205356.tif 000010
【図９】
2018205356.tif 000011
【図１０】
2018205356.tif 000012
【図１１】
2018205356.tif 000013
【図１２】
2018205356.tif 000014